(57)【要約】 【課題】新規な電飾効果を発現できる照明装置を提供する。【解決手段】照明装置１０は、周面１１から光が漏光する長尺状の導光体１と、導光体１の長手方向の少なくとも一端１ａに設けられ前記導光体１に光を入射させる光源６と、を備え、観察領域から導光体を観察する照明装置である。導光体１は、導光体１を曲がった状態とされた湾曲部２を有し、湾曲部２は、観察領域に向かって曲がりながら延びる複数の第１部分２５を有し、第１部分２５は、ｉ）光の進行方向Ｘが観察領域８に向かう方向であるか又は／及びii）鋭角に屈曲していることで、第１部分２５が、光源６により投光されているときに他の部分よりも高い輝度で漏光する光輝部とされている。【選択図】図２
2017033870.tif 000002
【特許請求の範囲】
【請求項１】
周面から漏光する長尺状の導光体と、前記導光体の長手方向の少なくとも一端に設けられ前記導光体に光を入射させる光源と、を備え、観察領域から導光体を観察する照明装置であって、
前記導光体は、前記導光体を曲がった状態とされた湾曲部を有し、
前記湾曲部は、前記観察領域に向かって曲がりながら延びる複数の第１部分を有し、前記第１部分は、ｉ）光の進行方向が前記観察領域に向かう方向であるか又は／及びii）鋭角に屈曲していることで、当該第１部分が、前記光源により投光されているときに当該第１部分以外の部分よりも高い輝度で漏光する光輝部とされていることを特徴とする照明装置。
【請求項２】
前記導光体の内部には光拡散剤が含まれている請求項１に記載の照明装置。
【請求項３】
前記湾曲部は、前記観察領域に向かって曲がりながら延び、且つ光の進行方向が前記観察領域から離れる方向である複数の第２部分を更に有し、当該第２部分及び前記第１部分が、前記光源により投光されているときに当該第２部分及び前記第１部分以外の部分よりも高い輝度で漏光する光輝部とされている請求項２に記載の照明装置。
【請求項４】
前記湾曲部について、中心線の延び方向からみたとき、前記湾曲部は、２以上の方向に延びた形状又はリング形状をなす請求項１〜３のいずれか１項に記載の照明装置。
【請求項５】
前記湾曲部は、螺旋形状をなす請求項１〜４のいずれかに記載の照明装置。
【請求項６】
長尺状の芯材を更に備え、
前記芯材の周面に沿って前記湾曲部が配置されている請求項１〜５のいずれかに記載の照明装置。
【請求項７】
前記光源は、前記導光体の一端及び他端に設けられている請求項１〜６のいずれかに記載の照明装置。
【請求項８】
前記光源の投光量を制御する制御部を更に備え、
前記制御部は、前記光源の投光量を所定時間経過の間に徐々に増加させる請求項１〜７のいずれかに記載の照明装置。
【請求項９】
前記制御部は、前記導光体の前記一端及び他端に設けた前記光源の投光量をそれぞれ所定時間経過の間に徐々に増加させ、かつ、前記一端に設けた前記光源の投光開始後で且つ前記一端に設けた前記光源の投光量が最大値に至るまでの間に、前記他端に設けた前記光源の投光を開始させる請求項８に記載の照明装置。
【請求項１０】
前記導光体の前記観察領域側には、遮光壁が更に配設されており、
前記遮光壁における前記導光体の前記第１部分と対応する位置には、開口が設けられている請求項１〜９のいずれかに記載の照明装置。
【請求項１１】
前記導光体を挟んで前記観察領域と反対側にはリフレクタが設けられている請求項１〜１０のいずれかに記載の照明装置。
【発明の詳細な説明】
【技術分野】
【０００１】
本発明は、導光体を備えた照明装置に関する。
【背景技術】
【０００２】
車両用の照明装置には、図２２に示すように、方向指示器のシーケンシャル制御や車内イルミネーションのように、複数の光源９１ａ、９１ｂ、９１ｃ、９１ｄ、９１ｅを配列させて順に点灯させることで、電飾を表現したものがある。かかる照明装置では、図２２、図２３に示すように、一端側の光源９１ａから他端の光源９１ｅに向けて順に点灯するように制御されている。この場合、光源一つ一つについて点灯タイミングを決めるため、多数の光源９１ａ〜９１ｅと、電子回路及び制御プログラムを有する制御部９４とが必要となる。また、光の移動距離を長くすると、必要な光源数が増える。それに伴って、配線や電子システムが複雑になる。このため、電飾を表現する照明装置は、コスト高であった。
【０００３】
そこで、特許文献１には、長尺状の導光体の両端に光源を配置して、一方の光源と他方の光源の点灯と消灯のタイミングをずらすことで、少数の光源によって導光体の一端から他端又は他端から一端に光が動くようにみせることが開示されている。
【０００４】
しかしながら、特許文献１では、光の移動が導光体の長手方向に限られる。このため、電飾の観点から更なる工夫が求められる。
【０００５】
そこで、特許文献２には、複数の導光体を束ねて螺旋状にねじり、隣接する導光体に端面から順次投光することが開示されている。
【０００６】
しかしながら、特許文献２に記載の照明装置では、複数本の導光体の周面に傷を付けることで、導光体内部を流れる光を傷から漏れ出させて、導光体を発光させている。発光の見え方が傷の付け方に依存するため、傷付け作業を慎重に行う必要がある。また、光源と導光体との間に、透光孔を有する揺動板を設けて、揺動板を回転揺動させることで透光孔を通じて隣の導光体に順次投光している。このため、照明装置全体が複雑になる。
【先行技術文献】
【特許文献】
【０００７】
【特許文献１】特開２０１４−８８０３号公報
【特許文献２】特開２０００−２７６９１４号公報
【発明の概要】
【発明が解決しようとする課題】
【０００８】
本発明者は、新規な電飾効果を発現できる照明装置を開発すべく、鋭意探求した。
【０００９】
本発明はかかる事情に鑑みてなされたものであり、新規な電飾効果を発現できる照明装置を提供することを課題とする。
【課題を解決するための手段】
【００１０】
本発明の照明装置は、周面から漏光する長尺状の導光体と、前記導光体の長手方向の少なくとも一端に設けられ前記導光体に光を入射させる光源と、を備え、観察領域から観察される照明装置であって、
前記導光体は、前記導光体を曲がった状態とされた湾曲部を有し、
前記湾曲部は、前記観察領域に向かって曲がりながら延びる複数の第１部分を有し、前記第１部分は、ｉ）光の進行方向が観察領域に向かう方向であるか又は／及びii）鋭角に屈曲していることで、当該第１部分が、前記光源により投光されているときに当該第１部分以外の部分よりも高い輝度で漏光する光輝部とされていることを特徴とする。
【発明の効果】
【００１１】
上記構成によれば、導光体の湾曲部は、観察領域に向かって曲がりながら延びている複数の第１部分を有する。観察領域は、導光体を観察可能な領域をいう。第１部分は、導光体の湾曲した部分であるため、導光体の直線部分である場合に比べて、第１部分内部を通る光が導光体周面に当たる機会が多い。このため、第１部分の周面からの漏光量は、導光体が直線である場合の直線部分の周面からの漏光量に比べて多い。しかも、第１部分は、観察領域に向かって延びており、ｉ）光の進行方向が観察領域に向かう方向であるか又は／及びii）鋭角に屈曲している。このため、第１部分の周面から漏光した光の多くは、観察領域側に放たれる。ゆえに、導光体に投光されたとき、第１部分は、導光体の他の部分よりも明るく発光する光輝部とされる。
【００１２】
したがって、上記構成によれば、新規な電飾効果を発現できる照明装置を提供することができる。
【図面の簡単な説明】
【００１３】
【図１】第１の実施形態の照明装置の全体図である。
【図２】第１の実施形態の照明装置の正面図である。
【図３】図２のＡ−Ａ矢視線で切断した照明装置の断面説明図である。
【図４】第１の実施形態の、芯材の間隔保持部を説明するための照明装置の部分拡大正面図である。
【図５】第２の実施形態の照明装置の正面図である。
【図６】第２の実施形態の時間経過に伴う光源の投光量の変化を示す図である。
【図７】図５のＢ−Ｂ矢視線で切断した照明装置の断面説明図である。
【図８】第３の実施形態のフロントランプ装置の正面図である。
【図９】第３の実施形態のフロントランプ装置の正面図である。
【図１０】第３の実施形態の照明装置の側面図である。
【図１１】第４の実施形態の照明装置の正面図である。
【図１２】第５の実施形態の照明装置であって、中心線の延び方向からみたときの湾曲部の形状が楕円であり、観察領域が、楕円の長軸方向と対向する位置にある場合の説明図である。
【図１３】第６の実施形態の照明装置の断面説明図である。
【図１４】第７の実施形態の照明装置の正面図である。
【図１５】図１４のＣ−Ｃ矢視線で切断した照明装置の断面説明図である。
【図１６】第８の実施形態の照明装置の斜視図である。
【図１７】図１６のＤ−Ｄ矢視線で切断した照明装置の断面説明図である。
【図１８】第９の実施形態の照明装置の斜視図である。
【図１９】第９の実施形態の照明装置の断面図である。
【図２０】第９の実施形態の照明装置の、遮光壁の開口近傍の断面説明図である。
【図２１】第９の実施形態の照明装置の、導光体の直線部分を開口から露出させた場合の、遮光壁の開口近傍の断面説明図である。
【図２２】従来例の照明装置の説明図である。
【図２３】従来例の照明装置の時間経過に伴う光源の投光量の変化を示す図である。
【発明を実施するための形態】
【００１４】
（第１の実施形態）
本発明の第１の実施形態に係る照明装置について図面を用いて説明する。
【００１５】
図１に示すように、照明装置１０は、導光体１と、芯材３と、光源６とを備える。
【００１６】
図１，図２に示すように、導光体１は、長尺状体であり、長尺方向に沿った周面１１をもつ。導光体１の内部では光が反射を繰り返すことにより光が進行する。導光体１の内部で光が進行する途中で、光の一部が臨界角を超えた場合に周面１１から少しずつ漏光する。このため、周面１１は、その全体から漏光する出射面である。周面１１は、滑面であるとよい。周面１１に傷などの凹凸があると、傷部分から多量の光が漏れ出てしまい、導光体１の他端まで光が到達しないおそれがある。
【００１７】
導光体１の長さは、５０ｃｍ〜２００ｃｍがよく、更に７５ｃｍ〜１５０ｃｍが好ましい。導光体１の長さが短すぎると、光の移動が感知されにくくなり、導光体１の長さが長すぎると、光源６から導光体１の一端に入力された光が途中ですべて漏光してしまい他端に到達しないおそれがある。
【００１８】
導光体１は、湾曲部２を有する。湾曲部２は、導光体１が曲げられた状態とされた部分である。湾曲部２は、導光体１がどのように曲げられていてもよいが、規則的に繰り返される形状であることがよい。この場合には、湾曲部２に、強く発光する光輝部が規則的に配置されて視認される。
【００１９】
湾曲部２について、導光体１の一端１ａと他端１ｂとを結ぶ中心線Ｍの延び方向からみたとき、湾曲部２は、一方向にのみ延びた形状に見えてもよいが、２方向以上に延びた形状に見えることが好ましく、更にはリング形状に見えることが望ましい。湾曲部２が１方向にのみ延びた形状に見える場合には、観察領域８の位置によっては、湾曲部２での光輝度の強弱を観察できない場合があるからである。湾曲部２が２方向以上に延びた形状に見える場合には、湾曲部２での光輝度の強弱を観察し得る観察領域８の位置が増加する。図３に示すように、例えば、本実施形態では、湾曲部２は、螺旋形状に巻回された部分である。湾曲部２は、中心線Ｍの延び方向からみたとき、真円のリング形状を描いており、リング状に全方向に向かって延びているように見える。この場合には、観察領域８をどの位置に配置しても、湾曲部２に光輝度の強弱を観察できる。
【００２０】
湾曲部２を構成する導光体１自体の長さに対して、湾曲部２の長さの比率は０．５〜０．７であることがよい。この場合には、湾曲部２での光輝度の強弱を観察し易くなる。本実施形態では、湾曲部２の長さは０．６ｍであり、湾曲部２を構成する導光体１自体の長さは１ｍである。湾曲部２を構成する導光体１自体の長さに対して、湾曲部２の長さの比率は０．６である。
【００２１】
導光体１には、光拡散剤１８が含まれていることが好ましい。この場合には、導光体１内部で光が多方向に拡散して、周面１１に当たりやすくなり、漏光しやすくなる。光拡散剤１８は、光を拡散させたり反射させたりする性質を有するものであればよく、光拡散剤１８としては、例えば、酸化チタンなど従来の一般的なものを用いるとよい（特開２００２−２９３１８９号公報）。
【００２２】
導光体１は、可撓性を有するとよい。この場合には、導光体１の曲げ作業がしやすくなる。また、導光体１は、剛性材料であってもよい。この場合には、導光体１は、金型成形により湾曲した状態で成形すればよい。
【００２３】
可撓性の導光体１の材料としては、例えば、フッ素樹脂（スリーエム社製ライトストリング）などの透明な可撓性樹脂材料があげられる。導光体１に用いられる剛性材料としては、ガラス材料や剛性樹脂材料がある。剛性樹脂材料としては、ポリメチルメタクリレート樹脂、ポリカーボネート樹脂、環状ポリオレフィン樹脂、アクリル樹脂などがあげられる。
【００２４】
本実施形態において、導光体１は、直径３．１ｍｍ、長さ１ｍのエラストマー＆フッ素樹脂製（クラベ製ライトガイド）の丸棒状体からなる。本実施形態の導光体１の径方向断面は、真円であるが、楕円、三角、四角などの多角形状であってもよい。
【００２５】
芯材３は、長尺状体であればよく、径方向断面は円形、三角形、四角形などの多角形でもよい。芯材３は湾曲部２をもつ導光体１を保持する。本実施形態では、芯材３として、直径６．３ｍｍ、長さ８０ｃｍの透明な丸棒状体を用いる。図４に示すように、芯材３には、長手方向に所定間隔毎に、半球状の形状保持部３１が設けられている。形状保持部３１に導光体１を引っ掛けながら、芯材３の周囲で導光体１が螺旋状に巻回されている。導光体１の巻回された部分は湾曲部２である。
【００２６】
形状保持部３１は、芯材３に形成された切り込みであってもよい。導光体１を所定ピッチで螺旋状に巻回できれば、芯材３に形状保持部３１はなくてもよい。
【００２７】
芯材３の材料は剛性材料、又は可撓性材料であってもよい。芯材３が可撓性材料である場合には、導光体１よりも剛性が高いことがよい。剛性の芯材３としては、例えば、ガラス材料、剛性樹脂材料を用いることができる。可撓性の芯材３としては、例えば、フッ素系樹脂チューブなどを用いることができる。本実施形態では、芯材３としては、フッ素系樹脂チューブを用いる。
【００２８】
光源６としては、ＬＥＤ、ＥＬ（Electro Luminescence）素子などの半導体発光素子、電球などを用いることができる。光源６から放たれる光は、どのような色であってもよく、時間経過に伴い色が変化したり点滅したりしても良い。本実施形態では光源６として、出力３Ｗで、アンバー色の光を放つＬＥＤを用いる。
【００２９】
光源６は、導光体１の一端に配設されている。光源６と導光体１との間には、図略の集光レンズが介設されているとよい。レンズによって、光源６で発せられた光が導光体１に集光されている。
【００３０】
光源６を点灯すると、導光体１の一端１ａから他端１ｂに向けて投光される。光源６は、導光体１への投光量が、導光体１への投光開始時から所定時間経過までの間に徐々に増加させていくように図略の制御部で制御されている。
【００３１】
ここで、図２に示すように、導光体１は、螺旋形状に巻回された湾曲部２を有する。湾曲部２では、導光体１の全体が均一な曲率で曲げられた状態とされている。湾曲部２を構成している導光体１は、直線状の導光体１に比べて、光が導光体１の周面１１に当たる機会が多い。
【００３２】
図３に示すように、観察領域８からみた湾曲部２において、下側の部分を底部２１とし、上側の部分を頂部２２とする。湾曲部２の底部２１及び頂部２２は、導光体１から観察領域８に向かう観察方向Ｌに延びる部分である。湾曲部２は、導光体１の一端１ａ側からみて反時計回りに回転する螺旋形状をなし、底部２１及び頂部２２は、螺旋を１回巻く毎に１つずつ形成されている。湾曲部２には、底部２１及び頂部２２が、螺旋の巻回のピッチ毎に形成されているため、底部２１及び頂部２２は、導光体１の一端１ａから他端の間に巻回ピッチ毎に複数配列されている。
【００３３】
光源６は導光体１の一端１ａ（紙面左側）に配置されている。このため、光源６により導光体１に投光すると、底部２１では、導光体１側から観察領域８に向かう観察方向Ｌに光が進行し、頂部２２では、観察領域８から導光体１に向かう方向に光が進行する。即ち、光の進行方向Ｘは、底部２１では観察領域８に近づく方向、即ち観察方向Ｌに略平行方向である。頂部２２では、光の進行方向Ｘは、観察領域８から離れる方向、即ち観察方向Ｌと略逆方向である。
【００３４】
導光体１には光散乱剤１８が含まれており、しかも、導光体１の湾曲部２はその全体で一定の曲率で湾曲する螺旋形状を呈している。このため、湾曲部２の周面１１から多方向に向けて均一に光が漏れている。湾曲部２の中で底部２１及び頂部２２は、観察領域８からみて、周面１１が観察方向Ｌと略平行に延びている。観察方向Ｌと略平行な出射面としての周面１１の面積について、底部２１及び頂部２２では、底部２１及び頂部２２以外の部分よりも大きい。さらに、湾曲部２の中で底部２１での光の進行方向Ｘは観察領域８に向かう観察方向Ｌと略同じであるため、底部２１の周面１１から漏光した光の多くは観察領域８に向かって放たれる。ゆえに、観察領域８に立った観察者は、底部２１が他の部分に比べて明るく見える。すなわち、底部２１が、本発明の第１部分２５の光輝部として視認される。
【００３５】
また、頂部２２から漏光した光の進行方向Ｘは、観察領域８から離れる方向、即ち、底部２１から漏れた光の進行方向Ｘとは逆方向である。観察領域８から離れる方向に進行する光の一部は、頂部２２内部に含まれている光拡散剤１８にあたり、頂部２２内部において光拡散剤１８により観察領域８に向かう方向に拡散ないし反射される。頂部２２内部において観察領域８に向かう方向に拡散ないし反射された光の一部は、導光体１の観察領域８に向かう方向の周面１１から漏光して、観察領域８に向かう。頂部２２は、観察領域８からみて、周面１１が観察方向Ｌと略平行に延びていて、観察方向Ｌと略平行な出射面としての周面１１の面積が広い。このため、頂部２２も、底部２１ほどではないが、比較的強く発光する。すなわち、頂部２２は、本発明の第２部分２６の光輝部として視認される。
【００３６】
ここで、光源６は、導光体１への投光量が、導光体１への投光開始時から所定時間経過までの間に徐々に増加させていくように制御されている。「所定時間」は、導光体１の一端１ａから他端１ｂまでの間で光の動きを人間が検知可能な時間である。本実施形態では、「所定時間」は０．２秒とする。
【００３７】
光源６の導光体１への投光量を、導光体１への投光開始時から所定時間（例えば、０．２秒間）経過までの間に徐々に増加させていくことで、複数の第１部分２５のうち光源６に近い一端１ａ側の底部２１及び頂部２２から順に遠方の他端１ｂ側の底部２１及び頂部２２が点灯していくように見える。このため、光源６から導光体１への投光を開始すると、複数の底部２１及び頂部２２の配列方向に沿って、あたかも点光源が順に移動するように見える。
【００３８】
このように、観察領域８に立った観者によれば、底部２１及び頂部２２の２列の移動経路上を点光源が順に移動するように見える。
【００３９】
湾曲部２では、底部２１と頂部２２が強く発光するが、底部２１及び頂部２２以外の部分は非常に弱く発光しているのが視認される。本実施形態では芯材３が透明な丸棒であるため、螺旋形状の湾曲部２の全体が、芯材３の裏側に隠れている部分も含めて、観察領域８から視認することができる。このため、光輝度に強弱のある立体的な電飾効果を発現できる。
【００４０】
湾曲部２は、中心線Ｍに沿って螺旋状に巻回されており、しかも、中心線Ｍの延び方向から湾曲部２をみたとき、湾曲部２は真円のリング形状に見える。このため、どの位置に観察領域８を配置しても、配置した観察領域８からみて、底部２１及び頂部２２となる部分はそれぞれ第１部分２５及び第２部分２６として強く発光し、それ以外の部分は弱く発光するように見える。
【００４１】
本実施形態では芯材３は透明であるが、芯材３を白色に代えた場合には、導光体１から漏光した光は芯材３に当たって散乱する。このため、白色の芯材３を用いた場合には、透明の芯材３を用いた場合に比べて、観察領域８から見える湾曲部２がより強く発光しているように見える。
【００４２】
芯材３を黒色に代えた場合には、導光体１から漏光した光の一部は芯材３に吸収される。このため、芯材３が透明又は白色である場合よりも、湾曲部２の光輝度が若干弱くみえるが、芯材３の黒色との対照によって、底部２１が第１部分２５として、頂部２２が第２部分２６として、それぞれ点光源のようにより一層鮮明に視認される。
【００４３】
（第２の実施形態）
本実施形態の照明装置１０は、図５に示すように、導光体１の一端１ａだけでなく他端１ｂにも光源を設けている点が、第１実施形態と相違する。
【００４４】
本実施形態の照明装置１０は、導光体１の一端１ａ及び他端１ｂに設けた光源６、７の点灯を制御する制御部４を更に備えている。制御部４は、導光体１の他端１ｂに設けた光源７の点灯タイミングを、導光体１の一端１ａに設けた光源６よりも遅くするように制御している。図６には、光源６，７の投光量の経時変化を示す。他端１ｂの光源７は、一端１ａの光源６から投光された光によって導光体１全体のうちの一端１ａ側の半分程度が発光してみえるタイミングで点灯するように制御されている。
【００４５】
図５，図７に示すように、一端１ａの光源６の点灯開始から所定時間（例えば０．２秒）経過間際の間に、底部２１及び頂部２２が、一端１ａから他端１ｂに順次点灯していくように見える。このため、一端１ａから他端１ｂに向けて光が流れていくようにみえる。このときには、光源６からの光の進行方向Ｘは、底部２１では観察領域８に向かう方向となり、頂部２２では観察領域８と反対側となる。このため、底部２１は第１部分２５の光輝部として、頂部２２よりも強く発光する（図２、図３参照）。頂部２２は、底部２１に比べて弱いが、第２部分２６の光輝部として、湾曲部２の中の他の部分よりも強く発光する。
【００４６】
一端１ａの光源６から投光された光によって導光体１全体のうちの一端１ａ側の半分程度が発光してみえるタイミングで、他端１ｂの光源７の点灯が開始され、他端１ｂから導光体１に投光される。他端１ｂの光源７から投光された光は、他端１ｂからみて反時計回りに進む。このため、他端１ｂの光源７からの光の進行方向Ｙは、頂部２２では観察領域８に向かう方向となり、底部２１では観察領域８と反対側となる。他端１ｂ側の頂部２２は強く発光して第１部分２５の光輝部とされる。他端１ｂの光源７からの投光が開始されると、他端１ｂに近い頂部２２及び底部２１から一端１ａ側に順に発光していく。他端１ｂの光源７からの投光開始前では、頂部２２は、底部２１よりも弱く発光していたが、他端１ｂの光源７からの投光が開始されると、頂部２２も強く発光する。
【００４７】
一端１ａの光源６の点灯開始から所定時間経過時に、光源６、７の点灯により導光体１全体に光がほぼ均一に供給され、一端１ａから他端１ｂのすべての底部２１及び頂部２２が、互いにほぼ均一な光の強さで発光する。
【００４８】
一端１ａのみに光源６を配置した場合には、光源６から投光された光が他端１ｂに到達するまでの間に徐々に漏光してしまうため、他端１ｂ側の第１部分２５の光輝度が一端１ａ側の第１部分２５よりも弱くなる傾向にある。このため、他端１ｂ側にも光源７を配置することで、一端１ａ側から他端１ｂ側の第１部分２５の光輝度のムラを抑えることができる。
【００４９】
（第３の実施形態）
本実施形態は、第２の実施形態の照明装置１０をターンランプとして用いている。図８に示すように、照明装置１０は、車体に装着されるフロントランプ装置５に設けられている。フロントランプ装置５は、２つの灯体５１と、照明装置１０と、ケーシング５２と、を備える。
【００５０】
２つの灯体５１は、白色光を放つＬＥＤ、及びリフレクタなどの光学部材で構成される。
【００５１】
図９に示すように、ケーシング５２は、車体内側に対面するケーシング本体５２ａと、車体前方側に対向する透明カバー５２ｂとを有する。ケーシング本体５２ａと透明カバー５２ｂは、これらの周縁で嵌め合わされて一体化されている。ケーシング本体５２ａは、ポリプロピレン（ＰＰ）、アクリロニトリル−ブタジエン−スチレン共重合樹脂（ＡＢＳ）などの樹脂材料からなる。透明カバー５２ｂは、ポリカーボネートなどの透明樹脂材料からなる。ケーシング５２の内部空間５４には、照明装置１０及び灯体５１が配設されている。透明カバー５２ｂの前側は、観察者が位置可能な観察領域８である。観察者は、観察領域８からケーシング５２内部の導光体１を観察する。
【００５２】
図１０に示すように、照明装置１０は、ターンランプとして、車両前方側に導光体１の一端１ａが配置され、車両後方側に導光体１の他端１ｂが配置されるように、ケーシング５２の内部に固定されている。導光体１の他端１ｂは一端１ａよりも上側に配置させている。このため、光源６からの投光量を徐々に増加させていくと、車両前方側から後側に向かって光が流れていくように見える。
【００５３】
ここで、図９に示すように、照明装置１０は、導光体１を挟んで観察領域８と反対側に配置されたリフレクタ５５を有する。リフレクタ５５は、車両外側に向けて略放物線状に湾曲する反射面を有する。リフレクタ５５は剛性樹脂材料で形成されており、その反射面には、金属蒸着などにより図略の反射層が形成されている。リフレクタ５５により、照明装置１０から放たれたすべての光が、車両前方の観察領域８に向けられる。このため、観察領域８からみて、リフレクタ５５を有する照明装置１０は、リフレクタ５５のない場合に比べて、高い輝度に発光しているようにみえる。
【００５４】
本実施形態のフロントランプ装置５においても、第２の実施形態の照明装置１０と同様に、導光体１の一端１ａ及び他端１ｂに光源６、７を設け、導光体１の他端１ｂに設けた光源６の点灯タイミングを、導光体１の一端１ａに設けた光源６よりも遅くするように制御している。一端１ａ側の光源６の点灯開始から他の光源７の点灯前までの間に、第１部分２５としての底部２１、及び第２部分２６としての頂部２２が、一端１ａから他端１ｂに向けて順次点灯していくように見える。このため、一端１ａから他端１ｂに向けて光が流れていくようにみえる。
【００５５】
一端１ａの光源６の点灯開始から所定時間（例えば０．２秒）経過時に、導光体１全体に光が均一に供給され、一端１ａから他端１ｂのすべての底部２１及びすべての頂部２２が、それぞれ互いに均一な光の強さで発光する。
【００５６】
（第４の実施形態）
本実施形態の照明装置１０は、図１１に示すように、芯材３がない点で第１実施形態と相違する。本実施形態において、導光体１は剛体であり、それ自体で螺旋形状を維持している。芯材３がないため、導光体１全体が観察領域８から観察される。導光体１の強弱のある輝度の変化を更に明確に視認することができる。導光体１は、アクリル系樹脂などの剛性樹脂材料を用い、金型を用いた射出成形で螺旋形状に形成される。
【００５７】
（第５の実施形態）
本実施形態の照明装置１０は、図１２に示すように、導光体１の湾曲部２を中心線Ｍの延び方向からみたとき湾曲部２が楕円形状に見えている点で、第１の実施形態と相違する。
【００５８】
本実施形態において、湾曲部２は螺旋形状をなしている。湾曲部２を中心線Ｍの延び方向からみたとき、湾曲部２は上下方向に長軸をもつ楕円形状を呈している。本実施形態においても、湾曲部２の中で底部２１での光の進行方向Ｘは観察領域８に向かう方向であるため、底部２１の周面１１から漏光した光の多くは観察領域８に向かう方向に放たれる。また、頂部２２でも、観察領域８に向かう観察方向Ｌと平行に延びる周面１１の面積が広い。このため、底部２１及び頂部２２は、第１部分２５の光輝部及び第２部分２６の光輝部として強く発光しているように見える。
【００５９】
更に、湾曲部２の楕円形状の長軸方向を上下方向と一致するように導光体１を配置したとき、湾曲部２の断面の楕円形状の長軸の両端は、湾曲部２の下側の底部２１及び上側の頂部２２に位置する。底部２１及び頂部２２の曲率は、第１の実施形態のような真円形状の断面の底部２１及び頂部２２の曲率よりも大きいため、底部２１及び頂部２２は、第１の実施形態の底部２１及び頂部２２に比べて、導光体１内を進行する光が周面１１に当たる確率が多く、漏光量も多い。このため、湾曲部２の断面が上下方向に長軸をもつ楕円とすることで、湾曲部２の断面が真円である第１の実施形態に比べて、底部２１及び頂部２２が強く発光する。
【００６０】
（第６の実施形態）
本実施形態の照明装置１０は、図１３に示すように、導光体１の湾曲部２を中心線Ｍの延び方向からみたとき湾曲部２が非円形のリング形状を呈している点で、第１の実施形態と相違する。
【００６１】
本実施形態において、湾曲部２は一端１ａ側からみて反時計方向に回転する螺旋形状を呈しており（図２参照）、湾曲部２を中心線Ｍの延び方向からみたとき、湾曲部２は、下側の底部２１が丸く上側の頂部２２に向けて細くなる水滴形状をなす。湾曲部２には、光源６により一端１ａ側から投光される。
【００６２】
湾曲部２の中心線Ｍの延び方向であって、且つ頂部２２が上部に、底部２１が下部に見えるように観察領域８を配置したとき、湾曲部２の底部２１での光の進行方向Ｘは、観察領域８に向かう方向であるため、底部２１から漏光した光の多くは観察領域８に向かう方向に向かい、底部２１でも他の部分に比べて高い輝度で発光する。
【００６３】
湾曲部２の頂部２２は鋭角（９０°未満）に曲がっている。頂部２２は、屈曲していても良いが、大きな曲率で曲がっていても良い。頂部２２での光の進行方向Ｘは観察領域８から離れる方向であるが、頂部２２内部を通る光が周面１１に当たる確率が高く、しかも観察領域８に向かう方向の周面１１ａで反射された光が対向する周面１１ｂで再度反射され、観察領域８に向かう方向の周面１１ａから漏光することが多い。このため、導光体１に対して水平方向に位置する観察領域８から導光体１をみたとき、湾曲部２の頂部２２は他の部分よりも輝度が高く発光している。
【００６４】
頂部２２の曲がり角αは鋭角、即ち９０°未満であるが、更には６０°未満、３０°未満がよい。頂部２２の観察領域８と反対側の周面１１ｂは観察領域８と対向する向きとされていることがよい。この場合には、周面１１ｂで反射された光の多くが、観察領域側の周面１１ａから漏光して、観察領域８に向かうため、頂部２２の輝度が高くなる。
【００６５】
このように、本実施形態では、湾曲部２の底部２１と頂部２２とが、第１部分２５の光輝部として視認される。
【００６６】
本実施形態では、湾曲部２が水滴形状であるが、その他の、鋭角で屈曲する部分を有する非円形状であってもよい。例えば、非円形状として、三角形状、四角形状などの矩形でも、鋭角で屈曲する部分を有する形状であれば、鋭角の屈曲部分が光輝部として視認される。
【００６７】
（第７の実施形態）
本実施形態の照明装置１０は、図１４に示すように、導光体１の湾曲部２が波形状に湾曲している。湾曲部２は、同一平面内において谷部２７と山部２８とが規則的に繰り返す波形状に曲げられている。湾曲部２は、谷部２７と山部２８とで比較的緩やかに丸みを帯びた状態でジグザグに湾曲した波形状をなす。湾曲部２を水平方向に配置したとき、波形状を構成している複数の谷部２７と複数の山部２８がそれぞれ前後方向に所定間隔毎に配列している。
【００６８】
図１５に示すように、湾曲部２を中心線Ｍの延び方向からみたとき、湾曲部２は一方向に延びており、その一端に谷部２７が位置し、他端に山部２８が位置している。谷部２７と山部２８との間は、曲率の小さい中間部２３、２４が形成されている。導光体１の谷部２７と他端１ｂ側の次の山部２８との間の中間部２３と、山部２８と他端１ｂ側の次の谷部２７との間の中間部２４は、中心線Ｍを挟んで互いに反対側に傾斜している。中間部２３の仮想延長線上であって中間部２３の光の進行方向側に観察領域８ａを配置する。また、中間部２４の仮想延長線上であって中間部２４の光の進行方向側に観察領域８ｂを配置する。
【００６９】
この場合、中間部２３の山部２８側の部分は、曲がりながら観察領域８ａに向かって延びる第１部分２５ａである。この第１部分２５ａの周面１１からの漏光は、観察領域８ａに向かって進行する。このため、第１部分２５ａは、光輝部として視認される。
【００７０】
また、中間部２４の谷部２７側の部分は、曲がりながら観察領域８ｂに向かって延びる第１部分２５ｂである。この第１部分２５ｂの周面１１からの漏光は、観察領域８ｂに向かって進行する。このため、第１部分２５ｂは、光輝部として視認される。
【００７１】
以上のように、湾曲部２を中心線Ｍの延び方向からみたときに、１方向に延びた形状に見える場合には、湾曲部２に対して２方向に位置する観察領域８ａ、８ｂから第１部分２５ａ、２５ｂが光輝部として、他の部分よりも強く発光して見える。
【００７２】
（第８の実施形態）
本実施形態の照明装置１０は、図１６に示すように、湾曲部２を中心線Ｍの延び方向からみたときに、中間部２３、２４がＶ字形状に湾曲している点で、第７の実施形態と相違する。
【００７３】
湾曲部２を中心線Ｍの延び方向から見たとき、湾曲部２は、中央部２３ａ、２４ａを基点として２方向に延びるＶ字形状に見える。湾曲部２の左右両端には、第７の実施形態と同様に複数の谷部２７と複数の山部２８が配列している。底部２１と頂部２２との間は、曲率の小さい中間部２３、２４が形成されている。導光体１の谷部２７と他端１ｂ側の次の山部２８との間の中間部２３と、山部２８と他端１ｂ側の次の谷部２７との間の中間部２４は、中心線Ｍを挟んで互いに反対側に傾斜している。
【００７４】
中間部２３の谷部２７側から中央部２３ａまでの間の導光体１の延び方向の延長線上に観察領域８ｃを配置すると、中央部２３ａにおける谷部２７側の部分は、曲がりながら観察領域８ｃに向かって延びており、且つ当該部分の光の進行方向は、観察領域８ｃに向かう方向である。観察領域８ｃから湾曲部２を見たとき、中央部２３ａにおける谷部２７側の部分は、第１部分２５ｃの光輝部として視認される。
【００７５】
中間部２４の山部２８側から中央部２４ａまでの間の導光体１の延び方向の延長線上に観察領域８ｄを配置すると、中央部２４ａにおける山部２４側の部分は、曲がりながら観察領域８ｄに向かって延びており、且つ当該部分の光の進行方向は、観察領域８ｄに向かう方向である。観察領域８ｄから湾曲部２を見たとき、中央部２４ａにおける山部２８側の部分は、第１部分２５ｄの光輝部として視認される。
【００７６】
中間部２３の中央部２３ａ側から山部２８までの間の導光体１の延び方向の延長線上に観察領域８ｅを配置すると、山部２８における中央部２３ａ側の部分は、曲がりながら観察領域８ｅに向かって延びており、且つ当該部分の光の進行方向は、観察領域８ｅに向かう方向である。観察領域８ｅから湾曲部２を見たとき、山部２８における中央部２３ａ側の部分は、第１部分２５ｅの光輝部として視認される。
【００７７】
中間部２４の中央部２４ａ側から谷部２７までの間の導光体１の延び方向の延長線上に観察領域８ｆを配置すると、谷部２７における中央部２４ａ側の部分は、曲がりながら観察領域８ｆに向かって延びており、且つ当該部分の光の進行方向は、観察領域８ｆに向かう方向である。観察領域８ｆから湾曲部２を見たとき、谷部２７における中央部２４ａ側の部分は、第１部分２５ｆの光輝部として視認される。
【００７８】
以上のように、湾曲部２を中心線Ｍの延び方向から見たとき、湾曲部２は２方向に延びるＶ字形状に見える。この場合、湾曲部２に対して４方向に位置する観察領域８ｃ、８ｄ、８ｅ、８ｆから、第１部分２５ｃ、２５ｄ、２５ｅ、２５ｆが光輝部として、他の部分よりも強く発光して見える。
【００７９】
このように湾曲部２を中心線Ｍの延び方向から見たときの導光体１の延び方向が多数になればなるほど、光輝部を観察し得る観察領域が増える。
【００８０】
（第９の実施形態）
本実施形態の照明装置１０は、図１８に示すように、第１の実施形態の導光体１の一部を遮蔽する遮光壁５８を備えている。
【００８１】
遮蔽壁５８は、内部に収容空間を有する箱体である。
【００８２】
第１の実施形態の導光体１、芯材３及び光源６を基本要素１９としたとき、本実施形態では、基本要素１９は、遮蔽壁５８により囲まれた収容空間に収容されている。
【００８３】
図１９，図２０に示すように、遮蔽壁５８の底壁５８ａには、所定間隔毎に複数の開口５９が形成されている。遮光壁５８は、導光体１を囲むとともに、第１部分２５としての底部２１における導光体１の湾曲部２の第１部分２５に対応する部分に開口５９を設けている。図２０に示すように、底部２１に対応する開口５９から発する光は、開口５９の軸線に対して外側に傾斜して広がって進行する。
【００８４】
これに対して、図２１に示すように、直線状の導光体１の一部を開口５９に対応する位置に開口５９を配置させた場合には、直線部分に対応する開口５９から発する光は、開口５９の軸線に対して平行に進行する。
【００８５】
本実施形態のように、底壁５８ａにおける第１部分２５に対応する部分に開口５９を配置すると、直線部分に対応する部分に開口５９を配置した場合よりも、光の輝度が強く、また、光照射領域が広がる。ゆえに、開口５９を通じて強く発光させることができる。
【００８６】
本実施形態では、第１の実施形態の導光体１の第１部分２５に開口５９を配置したが、第２〜第７の実施形態の第１部分２５及び第２部分２６に開口５９を配置してもよい。これらの場合にも、本実施形態と同様に、開口５９を通じて強く発光させることができる。
【００８７】
上記の実施形態の照明装置は、車両用の各種ランプ、インジケータなどに適用できる。
【００８８】
（１）上記実施形態の照明装置１０は、周面１１から漏光する長尺状の導光体１と、導光体１の長手方向の少なくとも一端１ａに設けられ導光体１に光を入射させる光源６と、を備え、観察領域８から観察される照明装置１０であって、導光体１は、導光体１を曲がった状態とされた湾曲部２を有し、湾曲部２は、観察領域８側に向かって曲がりながら延びる複数の第１部分２５を有し、第１部分２５は、ｉ）光の進行方向が観察領域８に向かう方向であるか又は／及びii）鋭角に屈曲していることで、第１部分２５が、光源６により投光されているときに第１部分２５以外の部分よりも高い輝度で漏光する光輝部とされていることを特徴とする。
【００８９】
導光体１の湾曲部２は、観察領域８に向かう方向に曲がりながら延びている複数の第１部分２５を有する。観察領域８は、導光体１を観察可能な領域をいう。第１部分２５は、導光体１の湾曲した部分であるため、導光体１の直線部分である場合に比べて、第１部分２５内部を通る光が導光体１周面１１に当たる機会が多い。このため、第１部分２５の周面１１からの漏光量は、導光体１が直線である場合の直線部分の周面１１からの漏光量に比べて多い。しかも、第１部分２５は、観察領域８に向かう方向に延びており、光の進行方向Ｘが観察領域８に向かう方向に向いている。このため、第１部分２５の周面１１から漏光した光の多くは、観察領域８に向かう方向に放たれる。ゆえに、導光体１に投光されたとき、第１部分２５は、導光体１の他の部分よりも明るく発光する光輝部とされる。
【００９０】
したがって上記実施形態によれば、光の輝度を変化させて新規な電飾効果を発現できる照明装置１０を提供することができる。
【００９１】
（２）導光体１の内部には光拡散剤１８が含まれていることが好ましい。この場合には、導光体１内部で光が多方向に拡散して、周面１１に当たりやすくなり、漏光しやすくなる。
【００９２】
（３）湾曲部２は、観察領域８に向かって曲がりながら延び、且つ光の進行方向が観察領域８から離れる方向である複数の第２部分２６を更に有し、第２部分２６及び第１部分２５が、光源６により投光されているときに第２部分２６及び第１部分２５以外の部分よりも高い輝度で漏光する光輝部とされていることが好ましい。
【００９３】
上記構成によれば、導光体１の第１部分２５だけでなく、導光体１の第２部分２６からも漏光して、第１部分２５及び第２部分２６が光輝部として視認される。
【００９４】
（４）湾曲部２について、中心線Ｍの延び方向からみたとき、湾曲部２は、２以上の方向に延びた形状又はリング形状をなすことが好ましい。どの位置に観察領域８を設定しても、湾曲部２での光輝度の強弱を観察しやすくなる。
【００９５】
（５）湾曲部２は、螺旋形状をなすことが好ましい。この場合、湾曲部２を、中心線Ｍの延び方向から見たとき、リング状に全方向に延びている。このため、湾曲部２をどの方向からみても、第１部分２５を光輝部として視認することができる。
【００９６】
（６）長尺状の芯材３を更に備え、芯材３の周面１１に沿って湾曲部２が配置されていることが好ましい。この場合には、導光体１が芯材３により保持され、導光体１の形状を安定に維持することができる。
【００９７】
（７）光源６，７は、導光体１の一端１ａ及び他端１ｂに設けられていることが好ましい。
【００９８】
一端１ａのみに光源６を配置した場合には、光源６から投光された光が他端１ｂに到達するまでの間に徐々に漏光してしまうため、他端１ｂ側の第１部分２５の光輝度が一端１ａ側の第１部分２５よりも弱くなる傾向にある。このため、他端１ｂ側にも光源７を配置することで、一端１ａ側から他端１ｂ側の第１部分２５の光輝度のムラを抑えることができる。
【００９９】
（８）光源６の投光量を制御する制御部４を更に備え、制御部４は、光源６の投光量を所定時間経過の間に徐々に増加させることが好ましい。この場合には、光源６から投光された光が、所定時間の間に、導光体１の一端１ａから他端１ｂに向けて次第に強く発光する。導光体１の湾曲部２の第１部分２５の光輝部が、一端１ａから他端１ｂに向けて順次点灯していくようにみえ、あたかも光が一端１ａから他端１ｂに向けて動いていくように見える。
【０１００】
（９）制御部４は、導光体１の一端１ａ及び他端１ｂに設けた光源６，７の投光量をそれぞれ所定時間経過の間に徐々に増加させ、かつ、一端１ａに設けた光源６の投光開始後で且つ一端１ａに設けた光源６の投光量が最大値に至るまでの間に、他端１ｂに設けた光源７の投光を開始させることが好ましい。
【０１０１】
この場合には、一端１ａの光源６の点灯開始から所定時間経過時に、他端１ｂの光源７の点灯を開始することにより、導光体１全体に光がほぼ均一に供給され、一端１ａから他端１ｂのすべての第１部分２５の光輝部、場合によっては第２部分２６の光輝部２６が、互いにほぼ均一な光の強さで発光する。
【０１０２】
（１０）導光体１の観察領域８側には、遮光壁５８が更に配設されており、遮光壁５８における導光体１の第１部分２５と対応する位置には、開口５９が設けられていることが好ましい。この場合には、第１部分２５に対応する開口５９から発する光の輝度を、導光体１が直線である場合の直線部分に対応する開口５９から発する光の輝度に比べて多くすることができる。
【０１０３】
（１１）導光体１を挟んで観察領域８と反対側にはリフレクタ５５が設けられていることが好ましい。この場合には、第１部分２５及び場合によっては第２部分２６を更に強く発光させることができる。
【符号の説明】
【０１０４】
１：導光体、１ａ：一端、１ｂ：他端、１０：照明装置、１１：周面、２：湾曲部、２１：底部、２２：頂部、２５：第１部分、２６：第２部分、３：芯材、４：制御部、５：フロントランプ装置、５５：リフレクタ、５８：遮光壁、５９：開口、６：一端側の光源、７：他端側の光源、８、８ａ、８ｂ、８ｃ、８ｄ、８ｅ、８ｆ：観察領域
【図１】
2017033870.tif 000003
【図２】
2017033870.tif 000004
【図３】
2017033870.tif 000005
【図４】
2017033870.tif 000006
【図５】
2017033870.tif 000007
【図６】
2017033870.tif 000008
【図７】
2017033870.tif 000009
【図８】
2017033870.tif 000010
【図９】
2017033870.tif 000011
【図１０】
2017033870.tif 000012
【図１１】
2017033870.tif 000013
【図１２】
2017033870.tif 000014
【図１３】
2017033870.tif 000015
【図１４】
2017033870.tif 000016
【図１５】
2017033870.tif 000017
【図１６】
2017033870.tif 000018
【図１７】
2017033870.tif 000019
【図１８】
2017033870.tif 000020
【図１９】
2017033870.tif 000021
【図２０】
2017033870.tif 000022
【図２１】
2017033870.tif 000023
【図２２】
2017033870.tif 000024
【図２３】
2017033870.tif 000025